(57)【要約】【課題】縦横に配列されている多数のキーのうち横方向に配置されるキーを一括して取付けかつ取外しすることができるキーボードを提供する。【解決手段】キーボード１０を、横方向に配置された各キー１４の裏面にそれぞれ当該各キー１４を支持しかつ基盤１２のガイド部材１８にガイドされてスライドする支持部材２０を設け、各キー１４に横方向に沿った貫通横穴１４Ａを形成すると共に、基盤１２に各キー１４の貫通横穴１４Ａに連続して挿通され当該各キー１４を一括して連結取付けする線状部材１６を設けた構成とし、横方向に配置する各キー１４の貫通横穴１４Ａを当該各キー１４の押下時の移動を許容する寸法の大きさに形成した。【選択図】図１
2010097565.tif 000002
【特許請求の範囲】
【請求項１】
基盤上に縦横に配列装備された多数個のキーのうち横方向に配置された複数個のキーを一括して取付けかつ取外せるキーボードであって、
前記横方向に配置された各キーの裏面にそれぞれ当該各キーを支持しかつ前記基盤のガイド部材にガイドされてスライドする支持部材を設け、
前記各キーに前記横方向に沿った貫通横穴を形成すると共に前記基盤に前記各キーの貫通横穴に連続して挿通され当該各キーを一括して連結取付け可能とする連結部材を設け、
前記横方向に配置する各キーの貫通横穴を当該各キーの押下時の移動を許容する寸法の大きさに形成したことを特徴とするキーボード。
【請求項２】
前記請求項１に記載のキーボードにおいて、
前記支持部材を前記各キーの裏面中央に設けると共に当該各キーの貫通横穴を、前記支持部材を挟んでその両側に形成したことを特徴とするキーボード。
【請求項３】
前記請求項１または請求項２に記載のキーボードにおいて、
前記支持部材を前記各キーの裏面中央に設けると共に当該各キーの貫通横穴を前記各キーの押下方向に長い長穴に形成したことを特徴とするキーボード。
【請求項４】
前記請求項１ないし請求項３のいずれか一つに記載のキーボードにおいて、
前記多数個のキーのうち前記横方向の二列にわたって配置された特殊キーに、横方向の二列にそれぞれ配置されている前記各キーの前記貫通横穴に連続する４つの貫通横穴を形成したことを特徴とするキーボード。
【請求項５】
前記請求項４に記載のキーボードにおいて、
前記各連結部材を線状部材で構成すると共にこの線状部材を前記各キーおよび特殊キーのそれぞれの貫通横穴の下端部側に位置するように挿通させたことを特徴とするキーボード。
【請求項６】
前記請求項４または請求項５に記載のキーボードにおいて、
前記各線状部材の長手方向一端部を前記基盤に着脱可能に設けられた連結部材にそれぞれ固着したことを特徴とするキーボード。
【請求項７】
前記請求項４または請求項５に記載のキーボードにおいて、
前記各線状部材のうち、前記横方向に配置された各キーの２つの前記貫通横穴に挿通された２本の線状部材をそれぞれ横方向の列ごとに固定部材に固定し、これらの固定部材は前記基盤に着脱可能に設けられていることを特徴とするキーボード。
【発明の詳細な説明】
【技術分野】
【０００１】
本発明はＯＡ機器等に使用するキーボードに関し、より詳しくは、多数個配列されたキーのうち横方向に配置された複数個のキーを一括して取付け、かつそれらのキーを一括して取外すことができるキーボードに関する。
【背景技術】
【０００２】
ＯＡ機器等に使用されるキーボードは、その構造上、キーボード内部の空間に埃等が入り易いものである。
また、キーボードのキーは、使用者が直接手等で触れるため、汚れが付着し易い。
そのため、定期的なキーの清掃が必要となる。ところが、キーの取外し等が面倒なこともあり、清掃を怠りがちになるためキーボードの汚れがひどくなり、また不衛生となる。
そして、このような状態になると、キーやキーボード全体を上から少し位丁寧に拭いただけでは汚れが取にくい。そのため、キーをキーボードから取外してそのキーの清掃や、キーボード全体の汚れた部分の清掃を行なうことが必要となってくる。
キーをキーボードから取外す構成としては、専用の器具、つまりキー取外し具を用い、このキー取外し具で一つ一つのキーを取外すものが知られている（例えば、特許文献１参照）。
【０００３】
図１０に示すように、この特許文献１に開示されたキーボード１００は、基盤１０３上に縦横に多数個配列されたキー１０４を備え、このキー１０４は、基盤１０３上に設けられた二段構造のバー１０５，１０６に支持されている。
バー１０５には、キー１０４を上方に付勢するスプリング１０７が巻着されている。そのため、作業者がキー１０４を操作し、押下した後、手を離せばキー１０４が初期位置に戻るようになっている。
また、各キー１０４は、それぞれが図示しない爪等の連結部材で基盤１０３に係止されている。
【０００４】
以上のようなキーボード１００から各キー１０４を取外す際は、キー取外し具１１０を用いて行なわれる。すなわち、キー取外し具１１０は、キー１０４を挟み込むヘラ状物１１１を備えて構成されており、このヘラ状物１１１の先端には小突起引掛部１１２が設けられている。
キー１０４の取外しは、キー取外し具１１０を矢印Ａ方向、つまりキー１０４側に向かう方向に降ろし、ヘラ状物１１１の先端を各キー１０４間に差込み、その小突起引掛部１１２をキー１０４の下端部に引っ掛けて取外すようになっている。
ここで、ヘラ状物１１１の先端を差込み取外す前に、爪等の連結部材によるキー１０４とキーボード１００との係止状態が解除されている。
【０００５】
【特許文献１】特開平５−２２５８５７号公報
【発明の開示】
【発明が解決しようとする課題】
【０００６】
しかしながら、前記特許公報に開示されたキーボード１００では、キー１０４を取外す際に、それぞれのキー１０４と基盤１０３との係止状態を解除した後、キー取外し具１１０をキー１０４とキー１０４との間に差し込み、それぞれのキー１０４を取外して行なっている。
このように、キー１０４の取外しに際しては、それぞれのキー１０４ごとに、まず、キー１０４と基盤１０３とを係止している爪等を外しておいて、次に、キー取外し具１１０を各キー１０４の間に差込んでそのキー１０４を取外しているため、多くの手間がかかり、作業が面倒であり、作業効率が悪いという問題がある。
また、各キー１０４は、上述のように、それぞれが基盤１０３に爪等を介して係止されているので、キー１０４の係止作業も多くの手間がかかり、作業が面倒である。
【０００７】
そこで、本発明では、縦横に配列されている多数のキーのうち横方向に配置されるキーを一括して連結可能かつ容易に係止状態を解除して取外しすることができ、取付け取外し作業効率の向上を図れるようになるキーボードを提供することを目的とする。
【課題を解決するための手段】
【０００８】
上記目的を達成するため、本発明のキーボードは、基盤上に縦横に配列装備された多数個のキーのうち横方向に配置された複数個のキーを一括して取付けかつ取外せるキーボードであって、前記横方向に配置された各キーの裏面にそれぞれ当該各キーを支持しかつ前記基盤のガイド部材にガイドされてスライドする支持部材を設け、前記各キーに前記横方向に沿った貫通横穴を形成すると共に前記基盤に前記各キーの貫通横穴に連続して挿通され当該各キーを一括して連結取付け可能とする連結部材を設け、前記横方向に配置する各キーの貫通横穴を当該各キーの押下時の移動を許容する寸法の大きさに形成したことを特徴とする。
【発明の効果】
【０００９】
本発明のキーボードは、上記のように構成されているので、横方向に配置された各キーの貫通横穴に連結部材が連続して挿通されているので、この連結部材により横方向に配置されるキーを一括して連結し取付けることができる。また、連結部材を各キーの貫通横穴から抜き取ることで連結部材と各キーとの係止状態が解除されるので、横方向に配置された各キーを容易に取外しすることができる。その結果、取付け取外し作業効率の向上を図れる。
【発明を実施するための最良の形態】
【００１０】
以下、本発明に係るキーボードの実施形態を図１〜３に基づいて説明する。
図１は前記実施形態のキーボード１０の主要部を示す斜視図であり、図２（Ａ）はキーボード１０を構成する１つのキー１４の詳細を示す斜視図であり、図２（Ｂ）は同図２（Ａ）におけるＢ矢視図である。
【００１１】
図１に示すように、キーボード１０は、基盤１２と、当該基盤１２に縦横に配列して装備された多数個のキー１３と、この多数個のキー１３を構成すると共に、横方向に配置された複数個のキー１４を一括して基盤１２に係止する連結部材である線状部材１６とを備えて構成されている。
【００１２】
上記各キー１４は、図２（Ａ），（Ｂ）、図３および図４に詳細を示すように略四角錐形状に形成されており、これらのキー１４の裏面中央部には当該各キー１４を支持する丸棒状の支持部材２０が設けられている。この支持部材２０は、前記基盤１２の底面１２Ａに設けられた筒状のガイド部材１８にガイドされてキー１４の押下方向にスライド可能となっている。
【００１３】
また、各キー１４の側面には支持部材２０と直交すると共に、当該支持部材２０を挟んでその両側に前記横方向に沿った貫通横穴１４Ａが形成されている。これら２つの貫通横穴１４Ａは、キー１４の押下方向（図３，４に矢印Ａ方向）に沿って形成された長穴に形成されている。したがって、各キー１４は、上述のように、支持部材２０がガイド部材１８にガイドされて貫通横穴１４Ａの長穴の範囲内で押下方向Ａにスライドできるようになっており、これにより、キー１４の操作が可能となる。
【００１４】
上記ガイド部材１８は、図４に詳細を示すように丸筒状に形成され、基盤１２の底面１２Ａに上方に向いて埋設されている。
このガイド部材１８の下部において支持部材２０の下端との間の空間内には、支持部材２０を上方に付勢する圧縮バネ２２が内蔵されている。したがって、キーボード１０の操作者が、手等によりキー１４を矢印Ａ方向に押下した後（仮想線で示す）、手を離すと圧縮バネ２２の付勢力により支持部材２０が初期位置である、キー１４の操作開始状態位置に戻るようになっている。
【００１５】
上記横方向に配置された各キー１４は前記線状部材１６を介して前記基盤１２に連結されるようになっている。
すなわち、線状部材１６は各キー１４に形成されている２つの貫通横穴１４Ａ，１４Ａのそれぞれに連続して挿通されている。上記線状部材１６は、各キー１４が初期位置（通常の状態）にあるとき、キー１４の貫通横穴１４Ａの下側寄りに配置されている。
そして、キー１４を押下したとき貫通横穴１４Ａも下方に移動するため、その状態では、線状部材１６が貫通横穴１４Ａの上側位置に位置することになる。
【００１６】
上記したように、各キー１４が初期位置にあるとき線状部材１６は貫通横穴１４Ａの下側寄りに配置されており、このとき、前記ガイド部材１８内の圧縮バネ２２の上端が、各キー１４の支持部材２０の下端と接触した状態を保持するように、圧縮バネ２２の長さが設定されている。
【００１７】
以上に説明したように、各キー１４は初期位置にあるときでも、あるいは押下した状態でも、線状部材１６が貫通横穴１４Ａ内に挿通されているので、キー１４を抜取ろうとしても線状部材１６に引掛かり、上方に抜けることはない。すなわち、横方向に配置する各キー１４は、２本の線状部材１６により連結取付け可能となっている。
【００１８】
図１に示すように、各線状部材１６の長手方向の一端部は、当該一端部を包込み固定するカバー部材２５に連結されている。
このカバー部材２５は、基盤１２の一方の側面の立上り縁部１２Ｂに着脱自在に設けられている。また、線状部材１６の長手方向の他端部は、基盤１２の他方の側面に形成された例えば係合孔に抜き差し自在に係合されるようになっている。
【００１９】
カバー部材２５には取手２７が設けられており、この取手２７を握り、カバー部材２５を矢印Ｍ１方向に引っ張ることで、横方向の複数の列に配置されている各キー１４のそれぞれの貫通横穴１４Ａから線状部材１６を一括して引き抜くことができる。これにより、各キー１４を容易に上記基盤１２から取外すことができる。
また、各キー１４を清掃し、あるいは交換する際は、まず、それらのキー１４を元の位置に配置し、次いで、取手２７を握り、カバー部材２５を矢印Ｍ２方向に移動させることで、横各キー１４のそれぞれの貫通横穴１４Ａに線状部材１６を一括して挿通させ、各キー１４を一括して係止する。
【００２０】
図５には、複数個のキー１４のそれぞれの貫通横穴１４Ａに線状部材１６が挿通され、横方向に配置された状態が詳細に示されている。図５では、複数個のキー１４が３列にわたって横方向に配置された状態が示されている。また、線状部材１６は、横方向に配置されたキー１４のそれぞれの貫通横穴１４Ａに連続して挿通され、この状態で各キー１４は、前記支持部材２０とガイド部材１８との係合により基盤１２に保持されている。
【００２１】
図６には、所定のキー１４−１を押下した状態が示されている。この際、押下されるキー１４−１は貫通横穴１４Ａ内において矢印Ａ方向に移動し、前記ガイド部材１８の上端に当接してストップされる。
このとき、押下されたキー１４−１の貫通横穴１４Ａは図４に仮想線で示すように、当該貫通横穴１４Ａの上部位置に線状部材１６が位置している。
【００２２】
図７には、図５の状態から横方向の手前の列におけるキー１４のうち、所定の２つのキー１４−２を取外す際の状態が示されている。
所定のキー１４−２を取外す作業は、そのキー１４−２の貫通横穴１４Ａ内に挿通されている線状部材１６を抜き取ることで行なわれる。
すなわち、図７に示すように、手前の列における２個のキー１４−２の貫通横穴１４Ａから線状部材１６を抜き取ると、抜き取られたそれらのキー１４−２は、線状部材１６と貫通横穴１４Ａとの係合状態が解除されるので、作業者が手により、あるいは所定の抜き取具等により容易に基盤１２から取外すことができる。
【００２３】
図８に示すように、キーボード１０には、以上に述べた横方向に配置された各キー１４とは大きさおよび形状の異なる特殊キー１５も装備されている。この特殊キー１５としては、例えばエンターキーが挙げられる。
特殊キー１５は、平面視略７字形状に形成され、かつ横方向の二列にわたる大きさに形成されている。この特殊キー１５には、横方向の二列に配置されている各キー１４の貫通横穴１４Ａに連続する４つの貫通横穴１５Ａが形成されている。
【００２４】
特殊キー１５の裏面略中央部には、前記各キー１４と同様の支持部材２０が設けられ、この支持部材２０は前記ガイド部材１８にガイドされてスライド自在となっている。この構成は、前記図４の構成と略同様である。したがって、その詳細な説明は省略する。
なお、図１には前記特殊キー１５は図示されていない。
【００２５】
次に、前記キーボード１０のキー１４を基板１２から取外す手順を説明する。
キーボード１０の基盤１２からキー１４を取外すには、図７に例示したように、キー１４の貫通横穴１４Ａ内に挿通されている線状部材１６を抜き取ることで行なわれる。
【００２６】
例えば、手前の列における各キー１４を取外すには、まず、線状部材１６を矢印Ｍ１方向に移動させて２個のキー１４−２の貫通横穴１４Ａから抜き出すのと同様に、線状部材１６を各キー１４の貫通横穴１４Ａから抜き出す。
貫通横穴１４Ａから線状部材１６が抜き取られたキー１４−２を含む各キー１４は、線状部材１６と貫通横穴１４Ａとの係合が解除されるので、作業者が手でキー１４を引き抜き、あるいは所定の抜き取具等により引き抜き、基盤１２から取外す。
【００２７】
横方向に複数列に配置して配置されたキー１４を一括して取外すには、図１に示すように、基盤１２の側面に装備されたカバー部材２５を矢印Ｍ１方向に移動させ、線状部材１６を基盤１２から抜き取れば、前記多数のキー１３を一括して連結可能状態から解除できるので、多数のキー１３の全てを容易に取外すことができる。
【００２８】
取外したキー１４の交換、あるいは清掃等が終了したキー１４を再装備する際は、前述と逆の動作により行なわれる。
すなわち、まず、上記取外したキー１４、清掃等が終了したキー１４を基盤１２上の元の位置に配置すると共に各キー１４の支持部材２０をガイド部材１８に挿入させ、各キー１４を基板１２に装備する。この際、それぞれのキー１４の貫通横穴１４Ａの向きが横方向に連続するように確認する。
次いで、各キー１４の貫通横穴１４Ａに線状部材１６を連続して挿通させ、当該線状部材１６により横方向に配置する各キー１４を連結し取付ける。
【００２９】
以上のような本実施形態によれば、次のような効果が得られる。
（１）線状部材１６を各キー１４の貫通横穴１４Ａから抜き取ることで線状部材１６と各キー１４との係止状態が解除されるので、横方向に配置された各キー１４を容易に取外しすることができ、取外し時の作業効率の向上を図ることができる。
【００３０】
（２）横方向に配置された各キー１４の貫通横穴１４Ａに線状部材１６が連続して挿通されているので、この線状部材１６により横方向に配置されるキー１４を一括して連結し取付けることができる。その結果、各キー１４の取付け作業が少ない手間で容易にでき、キー１４の取付け時の作業効率の向上を図ることができる。
【００３１】
（３）貫通横穴１４Ａが各キー１４の支持部材２０を挟んだ両側２箇所に形成されているので、線状部材１６がバランスよく配置され、これによりキー１４を線状部材１６によりバランスよく連結可能状態とすることができる。
【００３２】
（４）各キー１４に形成された貫通横穴１４Ａが、キー１４の押下方向に長い長孔に形成されているので、各キー１４の操作時の押下作業をスムーズに行える。そのうえ、貫通横穴を丸孔にした場合と比べて、各キー１４の幅寸法を大きくしなくてもすみ、結果的にキーボード１０の幅寸法をコンパクトにすることができる。
【００３３】
（５）横方向の複数列にわたる各キー１４のそれぞれの貫通横穴１４Ａに挿通される線状部材１６の一端部がカバー部材２５に固定されており、このカバー部材２５は、キーボード１０の一側面の立上り縁部１２Ｂに着脱自在に設けられているので、カバー部材２５をキーボード１０から離すことで、複数列にわたる各キー１４を一括して連結状態から解除することができる。そのため、各キー１４の取外しが容易となる。また、カバー部材２５を押込むことで、各キー１４を一括して連結取付けすることができる。
【００３４】
（６）多数個のキー１３のうち横方向の二列にわたる大きさの特殊キー１５に、横方向の二列に配置されている各キー１４の貫通横穴１４Ａに連続する４つの貫通横穴１５Ａが形成されているので、４つの貫通横穴１５Ａにそれぞれ線状部材１６が挿通される結果、特殊キー１５が大きくても安定した状態で連結取付けすることができる。
【００３５】
なお、本発明は前記実施形態に限定されるものではなく、本発明の目的を達成できる範囲での変形、改良等は本発明に含まれるものである。
例えば、前記実施形態では、基盤１２にカバー部材２５が装備され、このカバー部材２５に複数本の線状部材１６の一端が包込み固定されているが、線状部材１６はこの固定方法に限らない。
図９に示すように、横方向に配置された各キー１４の２つの貫通横穴１４Ａに挿通された２本の線状部材１６をそれぞれ横方向の列ごとに固定部材３５に固定し、これらの固定部材３５を前記基盤１２に着脱可能に設けた構成としてもよい。
本変形形態では、このような構成となっているので、横方向の列ごとの取外しが可能となり、任意の列のキー１４を個別に取付け、取外しができるという効果がある。
なお、図９では、前記実施形態と同一構造および同一部材等には同一符号を付し、それらについての詳細な説明は省略する。
【００３６】
また、前記実施形態では、各キー１４の貫通横穴１４Ａが支持部材２０を挟んで両側に形成されているが、貫通横穴１４Ａを一つ形成した構成としてもよい。
すなわち、例えばキー１４および支持部材２０に、上記貫通横穴１４Ａと同じ長さ寸法の長孔を形成して変形形態での貫通横穴とし、その貫通横穴内に前記線状部材１６を挿通させるようにしてもよい。要は、各キー１４を連続して、かつ一括して連結取付け可能となっていればよい。
このようにすれば、貫通横穴を一つ形成すればよいので、加工の手間が少なくてすむ。また、線状部材が横方向に配置されたキーに対して１本ですむので、使用材料が少なくてすむ、という各効果が得られる。
【産業上の利用可能性】
【００３７】
本発明の装置は、ＯＡ機器等に使用するキーボードの多数個のキーのうち横方向に配置する複数個のキーを、一括して取付け、あるいは取外す際等に利用できる。
【図面の簡単な説明】
【００３８】
【図１】本発明のキーボードの一実施形態を示す全体斜視図である。
【図２】前記実施形態のキーボードのキーを示し、図２（Ａ）はキーの全体斜視図であり、図２（Ｂ）は図２（Ａ）のＢ矢視図である。
【図３】前記実施形態のキーボードのキーの基盤への装着状態を示す斜視図である。
【図４】図３におけるIV−IV線に沿った縦断面図である。
【図５】前記実施形態のキーボードにおいて横方向に配置されたキーの貫通横穴に連結部材が挿通された状態を示す斜視図である。
【図６】前記実施形態の横方向に配置されたキーのうち一つのキーが押下された状態を示す斜視図である。
【図７】図５の状態から２個のキーが取外された上体を示す斜視図である。
【図８】前記実施形態のキーボードにおいて使用される特殊キーを示す平面図である。
【図９】本発明のキーボードの変形形態を示す部分詳細の斜視図である。
【図１０】従来のキーの取外し方法を示す縦断面図である。
【符号の説明】
【００３９】
１０  キーボード
１２  基盤
１３  縦横に配列されたキー
１４  横方向に配置されたキー
１４Ａ  貫通横穴
１５  特殊キー
１６  連結部材である線状部材
１８  ガイド部材
２０  支持部材
２５  カバー部材
【図１】
2010097565.tif 000003
【図２】
2010097565.tif 000004
【図３】
2010097565.tif 000005
【図４】
2010097565.tif 000006
【図５】
2010097565.tif 000007
【図６】
2010097565.tif 000008
【図７】
2010097565.tif 000009
【図８】
2010097565.tif 000010
【図９】
2010097565.tif 000011
【図１０】
2010097565.tif 000012